(57)【要約】  ガラスリボン形成装置は、両側を向いた第１および第２の形成面を有する形成体を備える。端部堰アセンブリは、第１の形成面の第１の端部に沿って、ドロー方向に延伸する第１の形成堰壁部を含む。第２の形成堰壁部は、第２の形成面の第１の端部に沿って、ドロー方向に延伸する。第１のブリッジ堰壁部は、形成体の上面に配置されて、第１の形成堰壁部と第２の形成堰壁部の間に延伸して連結しうる。形成体、および、端部堰アセンブリは、各々、耐火性材料から形成される。方法は、溶融ガラスを、形成面の対向する第１および第２の端部に沿ってドロー方向に延伸した形成堰壁部によって画定された溝部を通って、流す工程を含む。
2018535916.tif 000002
【特許請求の範囲】
【請求項１】
実施形態１  
ガラスリボン形成装置において、
両側を向いた第１および第２の形成面を有する形成体と、
第１の形成面の第１の端部に沿って、ドロー方向に延伸する形成堰壁部を含む、端部堰アセンブリと、
を備え、
前記形成体、および、前記端部堰アセンブリが、各々、耐火性材料を含むものである装置。
【請求項２】
前記端部堰アセンブリが、
前記第２の形成面の第１の端部に沿って、前記ドロー方向に延伸する第２の形成堰壁部と、
前記形成体の上面に配置されて、前記第１の形成堰壁部と前記第２の形成堰壁部の間に延伸して連結する、ブリッジ堰壁部と、
を更に含む、請求項１に記載の装置。
【請求項３】
前記ブリッジ堰壁部は、前記第１の形成堰壁部、または、前記第２の形成堰壁部の少なくとも１つから分離されて、それに接触するものであるか、
前記ブリッジ堰壁部は、前記第１の形成堰壁部、または、前記第２の形成堰壁部の少なくとも１つと一体化したものであるか、
の少なくとも１つである、請求項２に記載の装置。
【請求項４】
前記端部堰アセンブリの少なくとも一部が、前記形成体から分離されて、それに接触するものであるか、
前記端部堰アセンブリの少なくとも一部が、前記形成体と一体化したものであるか、
の少なくとも１つである、請求項１から３のいずれか１項に記載の装置。
【請求項５】
前記端部堰アセンブリは、
前記第１の形成面の前記第１の端部と対向する該第１の形成面の第２の端部に沿って、前記ドロー方向に延伸する第３の形成堰壁部と、
前記第２の形成面の前記第１の端部と対向する該第２の形成面の第２の端部に沿って、前記ドロー方向に延伸する第４の形成堰壁部と、
前記形成体の上面に配置されて、前記第３の形成堰壁部と前記第４の形成堰壁部の間に延伸して連結する、第２のブリッジ堰壁部と、
を更に含むものである、請求項１から４のいずれか１項に記載の装置。
【請求項６】
前記形成体の上方に配置されて、両側を向いた第１および第２の形成面を有する上側形成体と、
前記上側形成体の前記第１の形成面の第１の端部に沿って、前記ドロー方向に延伸する形成堰壁部を含む上端部堰アセンブリと、
を更に備え、
前記上側形成体と前記上端部堰アセンブリは、各々、耐火性材料を含むものである、請求項１から５のいずれか１項に記載の装置。
【請求項７】
前記上端部堰アセンブリは、
前記上側形成体の前記第２の形成面の第１の端部に沿って、前記ドロー方向に延伸する第２の形成堰壁部と、
前記上側形成体の上面に配置されて、前記上端部堰アセンブリの前記形成堰壁部と該上端部堰アセンブリの前記第２の形成堰壁部の間に延伸し連結する、ブリッジ堰壁部と、
を更に含むものである、請求項６に記載の装置。
【請求項８】
下側ブリッジ堰壁部が、前記形成体と前記上側形成体の間の間隙内に配置されたものであり、
前記下側ブリッジ堰壁部は、Ｈ形状の断面を有し、
前記形成体を、前記Ｈ形状の断面の下側開口部内に受け入れ、
前記上側形成体を、前記Ｈ形状の断面の上側開口部内に受け入れるものである、請求項６または７に記載の装置。
【請求項９】
前記上端部堰アセンブリは、前記端部堰アセンブリと連通して、前記上側形成体の前記第１の形成面、および、前記形成体の前記第１の形成面の各々の第１の端部に沿って、前記ドロー方向に延伸する連続した形成堰壁部を、協働で画定するものである、請求項６から８のいずれか１項に記載の装置。
【請求項１０】
ガラスリボン形成方法において、
溶融ガラスを、ウェッジ状の形成体の形成面に沿って、ドロー方向に流し、前記溶融ガラスが、前記形成面の対向する第１および第２の端部に沿って前記ドロー方向に延伸した形成堰壁部によって画定された溝部内を流れる工程を、
含み、
前記形成体、および、前記形成堰壁部は、各々、耐火性材料を含むものである方法。
【発明の詳細な説明】
【関連出願の相互参照】
【０００１】
本願は、２０１５年１１月２０日出願の米国仮特許出願第６２／２５８、１７６号の優先権の利益を主張し、その内容は依拠され、全体として参照により本明細書に組み込まれる。
【技術分野】
【０００２】
本開示は、ガラスリボン形成装置および方法に関する。
【背景技術】
【０００３】
ガラスリボンは、様々な異なる処理を用いて製造しうる。そのような処理の１つは、フュージョンドロー処理であり、溶融ガラス流が、形成体の両側を向いた外側形成面を流れて、ドローラインで合流する。両側を向いた外側形成面を流れる溶融ガラス流は、ドローラインで合流して、ガラスリボンを形成する。
【発明の概要】
【０００４】
本明細書において、ガラスリボン形成装置および方法を開示する。
【０００５】
本明細書において、例示的なガラスリボン形成装置を開示し、装置は、両側を向いた第１および第２の形成面を有する形成体を備える。装置は、第１の形成面の第１の端部に沿って、ドロー方向に延伸する形成堰壁部を含む、端部堰アセンブリを備える。形成体、および、端部堰アセンブリが、各々、耐火性材料を含む。
【０００６】
本明細書において、例示的なガラスリボン形成装置を開示し、装置は、両側を向いた第１および第２の形成面を有する下側形成体と、下側形成体の上方に配置されて、両側を向いた第１および第２の形成面を有する上側形成体とを備える。下側ブリッジ堰壁部が、下側形成体と上側形成体の間の間隙に配置されている。下側形成体、上側形成体、および、下側ブリッジ堰壁部は、各々、耐火性材料を含む。
【０００７】
本明細書において、例示的なガラスリボン形成装置を開示し、装置は、両側を向いた第１および第２の形成面を有する形成体を備える。装置は、第１の形成面の第１の端部に沿って、ドロー方向に延伸する第１の形成堰壁部と、第２の形成面の第１の端部に沿って、ドロー方向に延伸する第２の形成堰壁部と、形成体の上面に配置されて、第１の形成堰壁部と第２の形成堰壁部の間に延伸して連結する第１のブリッジ堰壁部と、第１の形成面の第２の端部に沿って、ドロー方向に延伸する第３の形成堰壁部と、第２の形成面の第２の端部に沿って、ドロー方向に延伸する第４の形成堰壁部と、形成体の上面に配置されて、第３の形成堰壁部と第４の形成堰壁部の間に延伸して連結する第２のブリッジ堰壁部とを含む、端部堰アセンブリを備える。形成体、および、端部堰アセンブリは、各々、耐火性材料を含む。
【０００８】
本明細書において、例示的なガラスリボン形成方法を開示し、方法は、溶融ガラスを、形成体の形成面に沿って、ドロー方向に流す工程を含む。溶融ガラスが、形成面の対向する第１および第２の端部に沿ってドロー方向に延伸した形成堰壁部によって画定された溝部内を、流れる。形成体、および、形成堰壁部が、各々、耐火性材料を含む。
【０００９】
更なる特徴、および、利点を、以下の詳細な記載で示し、部分的には、当業者には、その記載から容易に明らかであるか、以下の詳細な記載、請求項、および、添付の図面を含む本明細書に記載の実施形態を実施することで分かるだろう。
【００１０】
上記のような概略的記載、および、以下の詳細な記載の両方が、例示的なものにすぎず、請求した主題の本質および特徴を理解するための、概観または枠組みを提供することを意図すると、理解すべきである。添付の図面は、更なる理解を提供するために含められたものであり、本明細書に組み込まれ、その一部を形成する。図面は、１つ以上の実施形態を示し、記載と共に、様々な実施形態の原理および動作を説明する役割を果たす。
【図面の簡単な説明】
【００１１】
【図１】ガラスリボン形成装置の一実施形態の斜視図である。
【図２】図１に示した装置の形成体の断面図である。
【図３】図１に示した装置の立面図である。
【図４】図１に示した装置の部分分解図である。
【図５】図１に示した装置の形成体の圧縮端部の拡大斜視図であり、端部堰アセンブリが備えられていない。
【図６】図１に示した装置の形成体の圧縮端部の拡大斜視図であり、端部堰アセンブリが備えられている。
【図７】図１に示した装置の形成体の投入端部の拡大斜視図であり、端部堰アセンブリが備えられていない。
【図８】図１に示した装置の形成体の投入端部の拡大斜視図であり、端部堰アセンブリの形成堰壁部が備えられている。
【図９】図１に示した装置の形成体の投入端部の拡大斜視図であり、端部堰アセンブリの形成堰壁部およびブリッジ堰壁部が、備えられている。
【図１０】形成体のチャネルに、あし継ぎジョイントで連結するように構成された形成堰壁部の一実施形態の断面図である。
【図１１】形成体のチャネルに、Ｌ型スロットジョイントで連結するように構成された形成堰壁部の一実施形態の断面図である。
【図１２】形成体のチャネルに、Ｔ型スロットジョイントで連結するように構成された形成堰壁部の一実施形態の断面図である。
【図１３】積層ガラスリボン形成装置の一実施形態の斜視図である。
【図１４】図１３に示した装置の部分分解図である。
【発明を実施するための形態】
【００１２】
ここで、添付の図面に示した例示的な実施形態を、詳細に記載する。全図を通して、同じ、または、類似した部分を参照するには、可能な限り、同じ参照番号を用いている。図面中の要素は、必ずしも、縮尺通りではなく、例示的な実施形態の原理を示すことに重点を置いている。
【００１３】
本明細書において、「耐火性材料」という用語は、ＡＳＴＭ  Ｃ７１“Ｓｔａｎｄａｒｄ  Ｔｅｒｍｉｎｏｌｏｇｙ  Ｒｅｌａｔｉｎｇ  ｔｏ  Ｒｅｆｒａｃｔｏｒｉｅｓ”に規定されたような「１０００°Ｆ（５３８℃）より高温の環境に曝される構造物への、または、システムの要素としての利用を可能にする化学および物理特性を有する非金属性材料」のことを称する。
【００１４】
本明細書において、「平均熱膨張率」または「平均ＣＴＥ」は、０℃と３００℃の間での特定の材料の線形熱膨張率の平均のことを称する。本明細書において、「熱膨張率」または「ＣＴＥ」は、断りがない限り、平均熱膨張率のことを称する。ＣＴＥは、例えば、ＡＳＴＭ  Ｅ２２８“Ｓｔａｎｄａｒｄ  Ｔｅｓｔ  Ｍｅｔｈｏｄ  ｆｏｒ  Ｌｉｎｅａｒ  Ｔｈｅｒｍａｌ  Ｅｘｐａｎｓｉｏｎ  ｏｆ  Ｓｏｌｉｄ  Ｍａｔｅｒｉａｌｓ  Ｗｉｔｈ  ａ  Ｐｕｓｈ−Ｒｏｄ  Ｄｉｌａｔｏｍｅｔｅｒ”に記載された手順を用いて、決定しうる。
【００１５】
様々な実施形態において、ガラスリボン形成装置は、形成体、および、端部堰アセンブリを含む。形成体は、両側を向いた第１および第２の形成面を有する。いくつかの実施形態において、装置は、複数の形成体を含み、形成体は、装置の上側形成体、または、下側形成体であってもよい。端部堰アセンブリは、第１の形成面の第１の端部に沿って、ドロー方向に延伸する第１の形成堰壁部を含む。したがって、第１の形成面は、第１の端部で、端部堰アセンブリの形成堰壁部と境界を接する。いくつかの実施形態において、端部堰アセンブリは、第２の形成面の第１の端部に沿って、ドロー方向に延伸する第２の形成堰壁部を含む。したがって、第２の形成面は、第１の端部で、端部堰アセンブリの形成堰壁部と境界を接する。いくつかの実施形態において、端部堰アセンブリは、形成体の上面に配置されて、第１の形成堰壁部と第２の形成堰壁部の間に延伸して連結する、ブリッジ堰壁部を含む。形成体、および、端部堰アセンブリは、各々、耐火性材料を含むか、または、それから形成される。本明細書に記載したように、形成体、および、端部堰アセンブリの各々を、耐火性材料から形成することで、非耐火性材料から形成された端部堰アセンブリを含む装置と比べて、加熱、および／または、装置の動作中の端部堰アセンブリの変形を減らしうる。
【００１６】
図１は、ガラスリボン形成装置１００の一実施形態の斜視図である。装置１００は、ウェッジ状の形成体１１０、および、端部堰アセンブリ１５０を含む。図２は、形成体１１０の概略的な断面図である。図３は、装置１００の立面図である。図４は、装置１００の部分分解図である。図１から４に示すように、形成体１１０は、第１の形成面１１２、および、第１の形成面の反対側の第２の形成面１１４を含む。第１および第２の形成面１１２、１１４は、ドローライン１１６で収束する。動作中に、溶融ガラス流が、両側を向いた第１および第２の形成面１１２、１１４を流れ落ちる。溶融ガラス流は、ドローライン１１６で、または、そこに隣接して収束し、ガラスリボンを形成する。ガラスリボンを、装置１００から、ドロー方向（例えば、Ｚ方向）に、連続して引き出す。
【００１７】
いくつかの実施形態において、装置は、オーバーフロー分散器として構成される。例えば、装置１００は、その上部に形成されたトラフ部１１８を含む。トラフ部１１８は、第１の側壁部１２０、および、第１の側壁部と対向する第２の側壁部１２２と境界を接する。第１の側壁部１２０の外面は、第１の形成面１１２の少なくとも一部として機能する。第２の側壁部１２２の外面は、第２の形成面１１４の少なくとも一部として機能する。動作中に、溶融ガラスを、溶融、および／または、送出システム（不図示）から、トラフ部１１８内に供給する。溶融ガラスが、トラフ部を満たし、次に、第１の側壁部１２０、および、第２の側壁部１２２の各々から溢れて、両側を向いた第１および第２の形成面１１２、１１４を流れ落ちる溶融ガラス流を形成する。
【００１８】
いくつかの実施形態において、第１の形成面１１２は、上部１１２Ａ、および、下部１１２Ｂを含む。更に、または、その代わりに、第２の形成面１１４は、上部１１４Ａ、および、下部１１４Ｂを含む。例えば、図１から４に示した実施形態において、第１の形成面１１２の上部１１２Ａ、および、第２の形成面１１４の上部１１４Ａは、各々、トラフ部１１８の第１の側壁部１２０の外面、および、第２の側壁部１２２の外面を含み、第１の形成面の下部１１２Ｂ、および、第２の形成面の下部１１４Ｂは、各々、トラフ部の第１の側壁部および第２の側壁部の下流側に、ドロー方向に配置されている。いくつかの実施形態において、第１の形成面１１２の上部１１２Ａは、第２の形成面１１４の上部１１４Ａに、略平行、または、平行である。第１の形成面１１２の下部１１２Ｂと、第２の形成面１１４の下部１１４Ｂとは、互いに傾いて、形成体１１０のウェッジ形状を画定する。
【００１９】
図１から４に示した形成体１１０は、形成体が、形成体の中心面（例えば、ＸＺ面）に対して対称となるように、（例えば、形成面の上面からドローライン１１６までの）長さが等しい第１および第２の形成面１１２、１１４を含むが、本開示は、他の実施形態も含む。例えば、いくつかの実施形態において、第１の形成面は、第２の形成面より長く、形成体は、中心面に対して非対称となる。そのような実施形態において、ドローラインは、形成体の中心面から、厚さ方向（例えば、Ｙ方向）にずれる。
【００２０】
図１から４に示した形成体１１０は、溶融ガラスが、トラフ部１１８から溢れて、トラフ部の対向する第１および第２の側壁部１２０、１２２を越えて流れるオーバーフロー分散器（例えば、両面オーバーフロー分散器）として構成されているが、本開示は、他の実施形態も含む。例えば、いくつかの実施形態において、形成体は、溶融ガラスが、トラフ部から溢れて、トラフ部の１つの側壁部だけを越えて流れるオーバーフロー分散器（例えば、片面オーバーフロー分散器）として構成される。他の実施形態において、トラフ部を省略して、溶融ガラスを、オーバーフロー分散器の上面に載せて、形成面を流れ落ちさせる。
【００２１】
端部堰アセンブリ１５０は、第１の形成面１１２の第１の端部１２４に沿って、ドロー方向に延伸する第１の形成堰壁部１５２を含む。したがって、第１の形成面１１２は、第１の端部１２４で、第１の形成堰壁部１５２と境界を接する。更に、または、その代わりに、端部堰アセンブリ１５０は、第２の形成面１１４の第１の端部１２６に沿って、ドロー方向に延伸する第２の形成堰壁部１５４を含む。したがって、第２の形成面１１４は、第１の端部１２６で、第２の形成堰壁部１５４と境界を接する。更に、または、その代わりに、端部堰アセンブリ１５０は、形成体１１０の上面に配置されて、厚さ方向（例えば、Ｙ方向）に延伸する、第１のブリッジ堰壁部１５６を含む。第１のブリッジ堰壁部１５６は、第１の形成堰壁部１５２と第２の形成堰壁部１５４の間に延伸し連結する。いくつかの実施形態において、第１の形成堰壁部１５２、および、第２の形成堰壁部１５４は、形成体１１０のドローライン１１６で、または、その近くで収束する。例えば、第１の形成堰壁部１５２、および、第２の形成堰壁部１５４は、ドローライン１１６の真下で互いに連結して、形成体１１０を逸れて流れるガラスリボンを導く。
【００２２】
いくつかの実施形態において、端部堰アセンブリ１５０は、第１の形成面１１２の第１の端部１２４と対向する第２の端部１２８に沿って、ドロー方向に延伸する第３の形成堰壁部１５８を含む。したがって、第１の形成面１１２は、第２の端部１２８で、第３の形成堰壁部１５８と境界を接する。更に、または、その代わりに、端部堰アセンブリ１５０は、第２の形成面１１４の第１の端部１２６と対向する第２の端部１３０に沿って、ドロー方向に延伸する第４の形成堰壁部１６０を含む。したがって、第２の形成面１１４は、第２の端部１３０で、第４の形成堰壁部１６０と境界を接する。更に、または、その代わりに、端部堰アセンブリ１５０は、形成体１１０の上面に配置されて、厚さ方向に延伸する、第２のブリッジ堰壁部１６２を含む。第２のブリッジ堰壁部１６２は、第３の形成堰壁部１５８と第４の形成堰壁部１６０の間を延伸し、連結する。いくつかの実施形態において、第３の形成堰壁部１５８、および、第４の形成堰壁部１６０は、形成体１１０のドローライン１１６で、または、その近くで収束する。例えば、第３の形成堰壁部１５８、および、第４の形成堰壁部１６０は、ドローライン１１６の真下で互いに連結して、形成体１１０を逸れて流れるガラスリボンを導く。
【００２３】
図１から４に示した実施形態において、端部堰アセンブリ１５０は、形成体１１０の圧縮端部の近くに配置された第１の形成堰壁部１５２、第２の形成堰壁部１５４、および、第１のブリッジ堰壁部１５６、並びに、形成体１１０の圧縮端部の反対側の投入端部の近くに配置された第３の形成堰壁部１５８、第４の形成堰壁部１６０、および、第２のブリッジ堰壁部１６２を含む。第１の形成面１１２は、第１の端部１２４で、第１の形成堰壁部１５２と境界を接し、第２の端部１２８で、第３の形成堰壁部１５８と境界を接する。したがって、第１の形成面１１２は、第１の形成堰壁部１５２と第３の形成堰壁部１５８の間を、横方向（例えば、Ｘ方向）に延伸する。第２の形成面１１４は、第１の端部１２６で、第２の形成堰壁部１５４と境界を接し、第２の端部１３０で、第４の形成堰壁部１６０と境界を接する。したがって、第２の形成面１１４は、第２の形成堰壁部１５４と第４の形成堰壁部１６０の間を、横方向（例えば、Ｘ方向）に延伸する。
【００２４】
端部堰アセンブリは、溶融ガラスを、形成面上に、および／または、その下方に導くか、並びに／若しくは、溶融ガラスが、形成面の端部および／または両側から逸れて流れるのを防ぐのを助ける。例えば、第１の形成堰壁部１５２、および、第３の形成堰壁部１５８は、第１の形成面１１２を越えて、（例えば、形成体１１０から離れるように）外側に延伸する。したがって、第１の形成堰壁部１５２、第３の形成堰壁部１５８、および、第１の形成面１１２が、共同で、溝部を形成し、装置１００の動作中に、溶融ガラスが、その中を流れる。更に、または、その代わりに、第２の形成堰壁部１５４、および、第４の形成堰壁部１６０は、第２の形成面１１４を越えて、外側に延伸する。したがって、第２の形成堰壁部１５４、第４の形成堰壁部１６０、および、第２の形成面１１４が、共同で、溝部を形成し、装置１００の動作中に、溶融ガラスが、その中を流れる。いくつかの実施形態において、第１のブリッジ堰壁部１５６、および／または、第２のブリッジ堰壁部１６２は、形成体１１０の上面を越えて、外側に延伸する。そのようにブリッジ堰壁部を延伸させることで、溶融ガラスが、形成堰壁部を回り込んで、および／または、形成体の端部を越えて流れるのを防ぎ、溶融ガラスを、形成面上へと向ける。
【００２５】
形成体１１０、および、端部堰アセンブリ１５０は、各々、耐火性材料を含むか、または、それから形成される。例えば、耐火性材料は、ジルコニア、炭化ケイ素、アルミナ、および、それらの組合せからなる群から選択される。いくつかの実施形態において、形成体１１０、および、端部堰アセンブリ１５０は、同じ耐火性材料を含むか、または、それから形成される。他の実施形態において、形成体１１０、および、端部堰アセンブリ１５０は、異なる耐火性材料を含むか、または、それから形成される。いくつかの実施形態において、端部堰アセンブリ１５０の異なる部分は、異なる材料を含むか、または、それから形成される。例えば、端部堰アセンブリ１５０の形成堰壁部は、非耐火性材料を含むか、または、それから形成され、端部堰アセンブリ１５０のブリッジ堰壁部は、耐火性材料を含むか、または、それから形成される。更に、例えば、端部堰アセンブリ１５０の形成堰壁部は、耐火性材料を含むか、または、それから形成され、端部堰アセンブリ１５０のブリッジ堰壁部は、非耐火性材料を含むか、または、それから形成される。
【００２６】
動作中に、形成体、および、端部堰アセンブリ、または、それらの一部が、溶融ガラスと接触する。したがって、動作中に、形成体、および、端部堰アセンブリは、１０００℃を超えた温度に曝されうる。本明細書に記載したような耐火性材料を含む形成体、および、端部堰アセンブリを有する装置は、加熱、および／または、動作中に、非耐火性材料（例えば、白金、ロジウム、チタン、それらの合金、または、それらの組合せなどの金属性材料）から形成された端部堰アセンブリを有する装置と比べて、小さい変形を示す。例えば、耐火性材料を含む形成体、および、非耐火性材料を含む端部堰アセンブリを有する装置を加熱した場合、（例えば、より低いＣＴＥを有する耐火性材料と比べて、非耐火性材料のＣＴＥが高いことの結果として、）端部堰アセンブリは、形成体よりも膨張しうる。そのように端部堰アセンブリの膨張が高まることで、形成堰壁部の歪みを生じ、それは、形成面を流れ落ちる溶融ガラスのフロープロファイルの乱れにつながり、ガラスリボンを不完全なものにする。更に、または、その代わりに、そのような歪みは、形成堰壁部と形成面の間の間隙の生成につながりうるので、溶融ガラスが、間隙を通って漏れて、形成面から離れるのを可能にしうる。これに対し、各々が耐火性材料から形成された形成体１１０、および、端部堰アセンブリ１５０を含む装置１００を加熱した場合には、端部堰アセンブリの膨張は、形成体の膨張に匹敵するので、形成堰壁部の歪みが避けられる。したがって、形成体、および、端部堰アセンブリを、耐火性材料から形成することで、形成体と端部堰アセンブリの間の許容誤差を、より厳しく維持するのを助け、それは、より精密なガラスフロープロファイルを可能にするか、および／または、ガラスの漏れる可能性を低下しうる。
【００２７】
いくつかの実施形態において、端部堰アセンブリ１５０、または、その一部は、形成体１１０から分離されて、それと接触しているか、または、連結している。そのように形成体および端部堰アセンブリをモジュール構成にすることで、装置１００の製造処理を簡略化しうるが、独立した構成要素間の接点での弱点を生じうる。他の実施形態において、端部堰アセンブリ１５０、または、その一部を、形成体１１０と一体化させる。例えば、形成体１１０、および、端部堰アセンブリ１５０、または、その一部は、耐火性材料から形成（例えば、機械加工、鋳造、鍛造、または、３Ｄプリント）された一体構造体を含む。そのような形成体、および、端部堰アセンブリの一体構成は、比較的強いかもしれないが、製造が難しことがありうる。
【００２８】
図４に示した実施形態において、端部堰アセンブリ１５０は、形成体１１０から分離されており、複数の端部堰区分を含む。端部堰区分は、互いに分離されている。端部堰を区分に分かれた構成にすることで、各端部堰区分を、形成体上の適切な位置に、および／または、１つ以上の隣接した端部堰区分に連結することによって、装置の組立てを可能にしうる。例えば、第１の形成堰壁部１５２は、互いに分離した上側区分１５２Ａ、および、下側区分１５２Ｂを含む。組み立てた場合には、上側区分１５２Ａは、第１の形成面１１２の上部１１２Ａに隣接し、下側区分１５２Ｂは、第１の形成面の下部１１２Ｂに隣接し、更に、上側区分と下側区分は、互いに係合して、第１の形成堰壁部１５２を、協働して画定する。端部堰部を区分に分かれた構成とすることで、第１の形成面１１２の上部１１２Ａと下部１１２Ｂが互いに角度を成して配置されていても、剛性を有する上側および下側区分１５２Ａ、１５２Ｂを、上部１１２Ａと下部１１２Ｂに沿って挿入するのを可能にする。例えば、堰壁部区分を、本明細書に記載したように形成体１１０に形成されたチャネルの各々の部分に、剛性を有する堰壁部区分が互いに角度を成して配置されるように、挿入しうる。更に、または、その代わりに、第２の形成堰壁部１５４は、互いに分離された上側区分１５４Ａ、および、下側区分１５４Ｂを含む。組み立てた場合には、上側区分１５４Ａは、第２の形成面１１４の上部１１４Ａに隣接し、下側区分１５４Ｂは、第２の形成面の下部１１４Ｂに隣接し、更に、上側区分と下側区分は、互いに係合して、第２の形成堰壁部１５４を、協働して画定する。更に、または、その代わりに、第１のブリッジ堰壁部１５６は、第１の形成堰壁部１５２、および、第２の形成堰壁部１５４から分離している。組み立てた場合には、第１のブリッジ堰壁部１５６は、第１の形成堰壁部１５２と第２の形成堰壁部１５４の間に延伸し、各々と係合する。
【００２９】
図４に示した実施形態において、第３の形成堰壁部１５８は、互いに分離した上側区分１５８Ａ、および、下側区分１５８Ｂを含む。組み立てた場合には、上側区分１５８Ａは、第１の形成面１１２の上部１１２Ａに隣接し、下側区分１５８Ｂは、第１の形成面の下部１１２Ｂに隣接し、更に、上側区分と下側区分は、互いに係合して、第３の形成堰壁部１５８を、協働して画定する。更に、または、その代わりに、第４の形成堰壁部１６０は、互いに分離した上側区分１６０Ａ、および、下側区分１６０Ｂを含む。組み立てた場合には、上側区分１６０Ａは、第２の形成面１１４の上部１１４Ａに隣接し、下側区分１６０Ｂは、第２の形成面の下部１１４Ｂに隣接し、更に、上側区分と下側区分は、互いに係合して、第４の形成堰壁部１６０を、協働して画定する。更に、または、その代わりに、第２のブリッジ堰壁部１６２は、第３の形成堰壁部１５８、および、第４の形成堰壁部１６０から分離されている。組み立てた場合には、第２のブリッジ堰壁部１６２は、第３の形成堰壁部１５８と第４の形成堰壁部１６０の間に延伸し、各々と係合する。
【００３０】
様々な実施形態において、端部堰アセンブリは、所定の数の区分を含みうる。更に、または、その代わりに、端部堰アセンブリの異なる区分は、互いに分離されるか、または、一体化されていてもよい。例えば、いくつかの実施形態において、ブリッジ堰壁部は、隣接した形成堰壁部の１つまたは両方の上部と一体化されている。様々な実施形態において、端部堰アセンブリの一部は、形成体と一体化しうるものであり、一方、端部堰アセンブリの他の一部は、形成体から分離している。
【００３１】
端部堰アセンブリ、または、その一部が、形成体から分離している実施形態において、端部堰アセンブリ、または、その一部を、形成体に連結してもよい。図５は、端部堰アセンブリが設置されていない、形成体１１０の圧縮端部の拡大斜視図であり、図６は、端部堰アセンブリ１５０が設置された、形成体の圧縮端部の拡大斜視図である。図５に示すように、形成体１１０は、そこに形成されたチャネル１３２を含む。チャネル１３２は、第１の形成面１１２の第１の端部１２４に沿って、ドロー方向に延伸する。更に、または、その代わりに、チャネル１３２は、第２の形成面１１４の第１の端部１２６に沿って、ドロー方向に延伸する。更に、または、その代わりに、チャネル１３２は、形成体１１０の上面に沿って、厚さ方向に延伸する。いくつかの実施形態において、端部堰アセンブリ、または、その一部を、形成体のチャネル内に受け入れる。例えば、図６に示した実施形態において、第１の形成堰壁部１５２、第２の形成堰壁部１５４、および、第１のブリッジ堰壁部１５６を、チャネル１３２内に受け入れる。
【００３２】
隣接した構成要素を接合して堰壁部を形成するように、端部堰アセンブリの隣接部分を互いに連結しうる。例えば、図６に示した実施形態において、第１の形成堰壁部１５２の上部１５２Ａは、第１のブリッジ堰壁部１５６と隣接して配置される。第１のブリッジ堰壁部１５６は、第１の形成堰壁部１５２の上部１５２Ａに当接し、更に、それと重なって、略連続した形成壁部を形成する。同様に、上部１５２Ａと下部１５２Ｂは、互いに当接して、略連続した形成壁部を形成しうる。いくつかの実施形態において、端部堰アセンブリの隣接部分を、本明細書に記載したようなピンとスロットの嵌合部などの嵌合部で、互いに連結する。
【００３３】
図７は、端部堰アセンブリが設置されていない、形成体１１０の投入端部の拡大斜視図である。図８は、端部堰アセンブリ１５０の第３の形成堰壁部１５８、および、第４の形成堰壁部１６０が設置されているが、ブリッジ堰壁部が設置されていない、形成体１１０の投入端部の拡大斜視図である。図９は、端部堰アセンブリ１５０の第３の形成堰壁部１５８、第４の形成堰壁部１６０、および、第２のブリッジ堰壁部１６２の各々が設置された、形成体１１０の投入端部の拡大斜視図である。図７に示したように、形成体１１０は、そこに形成されたチャネル１３４を含む。チャネル１３４は、第１の形成面１１２の第２の端部１２８に沿って、ドロー方向に延伸する。更に、または、その代わりに、チャネル１３４は、第２の形成面１１４の第２の端部１３０に沿って、ドロー方向に延伸する。図７に示した実施形態において、チャネル１３４は、形成体１１０の上面に沿って、厚さ方向に延伸しない。いくつかの実施形態において、端部堰アセンブリ、または、その一部を、形成体のチャネル内に受け入れる。例えば、図８および９に示した実施形態において、第３の形成堰壁部１５８、および、第４の形成堰壁部１６０を、チャネル１３４内に受け入れる。図９に示すように、第２のブリッジ堰壁部１６２を、形成体１１０の上面に配置するが、チャネル１３４内に受け入れない。したがって、第２のブリッジ堰壁部１６２は、トラフ部１１８への投入部が第２のブリッジ堰壁部の下で開口するように、形成体１１０の上面に配置される。
【００３４】
隣接した構成要素を接合して堰壁部を形成するように、端部堰アセンブリの隣接部分を、嵌合部で、互いに連結しうる。例えば、図８および９に示した実施形態において、第３の形成堰壁部１５８の上部１５８Ａは、第２のブリッジ堰壁部１６０と隣接して配置される。第３の形成堰壁部１５８の上部１５８Ａは、その上面から突出したピン１６４を含む。第２のブリッジ堰壁部１６２は、そこに形成されて、ピン１６４と係合するように構成されたスロット１６６を含む。したがって、第３の形成堰壁部１５８の上部１５８Ａと第２のブリッジ堰壁部１６２を、ピンとスロットの嵌合部で、互いに連結しうる。例えば、ピン１６４およびスロット１６６は、ピンがスロットと係合自在となるように、相補的な断面形状を有する。図８および９に示した実施形態において、ピン１６４、および、スロット１６６は、各々、正方形断面形状を有して、ピンを、スロットに挿入して、第３の形成堰壁部１５８の上部１５８Ａと第２のブリッジ堰壁部１６２を連結しうる。他の実施形態において、ピン、および、スロットは、円形、三角形、矩形、五角形、六角形、若しくは、他の多角形または非多角形形状を含む。同様に、第３の形成堰壁部１５８の上部１５８Ａおよび下部１５８Ｂを、互いに連結して、略連続した形成壁部を形成しうる。
【００３５】
いくつかの実施形態において、端部堰アセンブリ、または、その一部を、接合部で、形成体内のチャネルに連結している。例えば、接合部は、あし継ぎジョイント、Ｌ型スロットジョイント、Ｔ型スロットジョイント、または、それらの組合せからなる群から選択しうる。図１０から１２は、第１の形成堰壁部１５２の例示的な構成の断面図であり、端部堰アセンブリ１５０、または、その一部を、形成体１１０内のチャネル１３２に連結するのに使用しうる３つの異なる接合構成を有している。図１０に示した実施形態において、接合部は、あし継ぎジョイントを含む。第１の形成堰壁部１５２は、そこから延伸したテーパ状の突出部１６８Ａを含む。突出部１６８Ａは、その近位端における比較的細い窪み部分から、遠位端における比較的幅広い基部へ徐々に細くなっている。図１１に示した実施形態において、接合部は、Ｌ型スロットジョイントを含む。第１の形成堰壁部１５２は、そこから延伸するＬ型の突出部１６８Ｂを含む。図１２に示した実施形態において、接合部は、Ｔ型スロットジョイントを含む。第１の形成堰壁部１５２は、そこから延伸するＴ形の突出部１６８Ｃを含む。様々な実施形態において、チャネル１３２は、突出部が、（例えば、突出部を、チャネルの端部から、チャネル内にスライドさせることによって、）チャネルと係合自在となるように、突出部の断面形状に相補的な断面形状を含む。したがって、形成堰壁部を、接合部で、形成体内のチャネルに連結しうる。
【００３６】
接合部の構成は、図１０から１２に示したものに限定されない。他の実施形態において、突出部、および、チャネルは、形成堰壁部と形成体の間の容易な係合を可能にしうる、任意の適切な断面形状を有しうる。いくつかの実施形態において、形成体は、（例えば、図５から９を参照して記載したチャネルの代わりに）突出部を含み、端部堰アセンブリ、または、その一部が、対応するチャネルを含む。
【００３７】
いくつかの実施形態において、装置は、形成体の形成面と形成堰壁部の間に延伸する１つ以上の縁部延伸部を含む。縁部延伸部は、形成体の形成面上を、および／または、逸れて流れる溶融ガラスを導いて、均一なガラスリボンの形成を可能にするのを助けうる。縁部延伸部は、例えば、米国特許第７，６８５，８４１号明細書に記載されたように構成しうるものであり、その記載は、全体として、参照により、本明細書に組み込まれる。例えば、図１から４に示した実施形態において、装置１００は、形成体１１０の第１の形成面１１２と端部堰アセンブリ１５０の第１の形成堰壁部１５２の間に延伸する第１の縁部延伸部１７０を含む。第１の縁部延伸部１７０は、第１の形成面１１２の下部１１２Ｂに隣接して位置する。第１の縁部延伸部１７０は、第１の形成面１１２と第１の形成堰壁部１５２の間に延伸するガイド面を含む。いくつかの実施形態において、第１の縁部延伸部１７０は、第１の形成面１１２と係合自在である内面、第１の形成堰壁部１５２と係合自在である後面、並びに／若しくは、ガイド面、内面、および／または、後面の間をつなぐ下面を含む。いくつかの実施形態において、第１の縁部延伸部１７０は、三角形の底面を有する斜角錐形状を含む。図１から４に示した実施形態において、装置１００は、形成体１１０の第２の形成面１１４と端部堰アセンブリ１５０の第２の形成堰壁部１５４の間に延伸する第２の縁部延伸部１７２を含む。第２の縁部延伸部１７２は、第２の形成面１１４の下部１１４Ｂに隣接して位置する。第２の縁部延伸部１７２は、第２の形成面１１４と第２の形成堰壁部１５４の間に延伸するガイド面を含む。いくつかの実施形態において、第２の縁部延伸部１７２は、第２の形成面１１４と係合自在である内面、第２の形成堰壁部１５４と係合自在である後面、並びに／若しくは、ガイド面、内面、および／または、後面の間をつなぐ下面を含む。いくつかの実施形態において、第２の縁部延伸部１７２は、三角形の底面を有する斜角錐形状を含む。
【００３８】
第１の縁部延伸部１７０、および、第２の縁部延伸部１７２は、形成体１１０のドローライン１１６の近傍で収束しうる。いくつかの実施形態において、第１の縁部延伸部１７０、および、第２の縁部延伸部１７２は、一体構造の縁部延伸部アセンブリの一部である。他の実施形態において、第１の縁部延伸部１７０、および、第２の縁部延伸部１７２は、分離した構成要素である。
【００３９】
図１から４に示した実施形態において、装置１００は、形成体１１０の第１の形成面１１２と端部堰アセンブリ１５０の第３の形成堰壁部１５８の間に延伸する第３の縁部延伸部１７４を含む。第３の縁部延伸部１７４は、第１の形成面１１２の下部１１２Ｂに隣接して位置する。第３の縁部延伸部１７４は、第１の形成面１１２と第３の形成堰壁部１５８の間に延伸するガイド面を含む。いくつかの実施形態において、第３の縁部延伸部１７４は、第１の形成面１１２と係合自在である内面、第３の形成堰壁部１５８と係合自在である後面、並びに／若しくは、ガイド面、内面、および／または、後面の間をつなぐ下面を含む。いくつかの実施形態において、第３の縁部延伸部１７４は、三角形の底面を有する斜角錐形状を含む。図１から４に示した実施形態において、装置１００は、形成体１１０の第２の形成面１１４と端部堰アセンブリ１５０の第４の形成堰壁部１６０の間に延伸する第４の縁部延伸部１７６を含む。第４の縁部延伸部１７６は、第２の形成面１１４の下部１１４Ｂに隣接して位置する。第４の縁部延伸部１７６は、第２の形成面１１４と第４の形成堰壁部１６０の間に延伸するガイド面を含む。いくつかの実施形態において、第４の縁部延伸部１７６は、第２の形成面１１４と係合自在である内面、第４の形成堰壁部１６０と係合自在である後面、並びに／若しくは、ガイド面、内面、および／または、後面の間をつなぐ下面を含む。いくつかの実施形態において、第４の縁部延伸部１７６は、三角形の底面を有する斜角錐形状を含む。
【００４０】
第３の縁部延伸部１７４、および、第４の縁部延伸部１７６は、形成体１１０のドローライン１１６の近傍で収束しうる。いくつかの実施形態において、第３の縁部延伸部１７４、および、第４の縁部延伸部１７６は、一体構造の縁部延伸部アセンブリの一部である。他の実施形態において、第３の縁部延伸部１７４、および、第４の縁部延伸部１７６は、分離した構成要素である。
【００４１】
いくつかの実施形態において、縁部延伸部を、取外し自在に、端部堰アセンブリに取り付けうる。例えば、図４に示した実施形態において、縁部延伸部は、そこから（例えば、裏面から）突出した１つ以上の小突起部１７８を含む。小突起部１７８は、端部堰アセンブリ１５０の形成堰壁部と係合して（例えば、周りから包み込んで）、そこに、縁部延伸部を取り付けうる。例えば、小突起部１７８を、形成堰壁部の内面上に形成された細溝部（例えば、図４に示したような、第１の形成堰壁部１５２の下側区分１５２Ｂの内面に形成された細溝部１７９）内に、配置しうる。したがって、本明細書に記載したように、小突起部１７８を、形成堰壁部の周りを包み込むようにするか、および／または、形成堰壁部の形成体との係合を妨げずに、形成堰壁部と形成体の間に挟むようにしうる。更に、または、その代わりに、縁部延伸部は、そこから突出した１つ以上のフック部１８０を含む。フック部１８０は、端部堰アセンブリ１５０の形成堰壁部と係合して、縁部延伸部を、そこに取り付けうる。いくつかの実施形態において、縁部延伸部は、非耐火性材料を含むか、または、それから形成される。例えば、縁部延伸部は、金属から形成される。取外し自在に取り付けることで、劣化した縁部延伸部の効率的な交換を可能にしうる。
【００４２】
図１３は、他の実施形態のガラスリボン形成装置２００の斜視図である。図１４は、装置２００の部分分解図である。装置２００は、積層ガラスリボンを形成するように構成されている。したがって、装置２００は、例えば、米国特許第４，２１４，８８６号に記載されたような多数の形成体を含み、その記載は、参照により、全体として、本明細書に組み込まれる。図１３、１４に示した実施形態において、装置２００は、形成体１１０、および、第２の形成体２１０を含む。第２の形成体２１０は、形成体１１０の上方に配置されている。したがって、形成体２１０は、上側形成体を含み、形成体１１０は、下側形成体を含む。第２の形成体２１０は、本明細書において形成体１１０について記載したように形成しうるが、ここで記載するような違いがある。例えば、第２の形成体２１０は、第１の形成面２１２、および、第１の形成面の反対側の第２の形成面２１４を含む。形成体１１０と異なり、第２の形成体２１０の第１および第２の形成面２１２、２１４は、収束せず、第２の形成体の下流側端部においても分離したままである。動作中に、溶融ガラス流が、両側を向いた第１および第２の形成面２１２、２１４を流れ落ちる。第２の形成体２１０からの溶融ガラス流は、形成体１１０の第１および第２の形成面１１２、１１４を流れた溶融ガラス流と合流するか、または、融合する。第１および第２の形成面１１２、１１４を流れて合流した溶融ガラス流は、ドローライン１１６で、または、そこに隣接して収束し、積層ガラスリボンを形成する。ガラスリボンを、装置２００から、連続して、ドロー方向（例えば、Ｚ方向）に引き出す。
【００４３】
いくつかの実施形態において、装置２００は、オーバーフロー分散器として構成される。例えば、装置２００は、その上部に形成されたトラフ部２１８を含む。動作中に、溶融ガラスが、トラフ部２１８に、溶融、および／または、送出システム（不図示）から供給される。溶融ガラスが、トラフ部２１８を満たし、トラフ部の対向する側壁部から溢れて、両側を向いた第１および第２の形成面２１２、２１４を流れ落ちる溶融ガラス流を形成する。いくつかの実施形態において、第１の形成面２１２は、第２の形成面２１４に、略平行か、または、平行である。
【００４４】
いくつかの実施形態において、第２の形成体２１０の両側を向いた第１および第２の形成面２１２、２１４を流れ落ちる溶融ガラスは、形成体１１０の両側を向いた第１および第２の形成面１１２、１１４を流れ落ちる溶融ガラスとは異なるガラス組成物を含む。したがって、積層ガラスリボンは、異なるガラス組成物を有する複数の層を含む。積層ガラスリボンの特性は、少なくとも部分的には、ガラス組成物の物性によって決定される。例えば、第２の形成体２１０を流れ落ちるガラス組成物は、形成体１１０を流れ落ちるガラス組成物より低いＣＴＥを有しうるので、したがって、積層ガラスリボンは、比較的低いＣＴＥのクラッド層の間に、比較的高いＣＴＥのコア層を含む。冷却時に、そのような積層ガラスリボンのクラッド層は、圧縮状態で、コア層は、引張状態でありうる。
【００４５】
装置２００は、第２の端部堰アセンブリ２５０を含む。したがって、端部堰アセンブリ１５０は、下端部堰アセンブリを含み、第２の端部堰アセンブリ２５０は、上端部堰アセンブリを含む。第２の端部堰アセンブリ２５０は、概して、本明細書において、端部堰アセンブリ１５０について記載したように構成しうるが、ここで記載するような違いがある。例えば、第２の端部堰アセンブリ２５０は、第１の形成面２１２の第１の端部２２４に沿って、ドロー方向に延伸する第１の形成堰壁部２５２、および／または、第２の形成面２１４の第１の端部２２６に沿って、ドロー方向に延伸する第２の形成堰壁部２５４を含む。更に、または、その代わりに、第２の端部堰アセンブリ２５０は、形成体２１０の上面に配置されて、厚さ方向（例えば、Ｙ方向）に延伸する第１のブリッジ堰壁部２５６を含む。第１のブリッジ堰壁部２５６は、第１の形成堰壁部２５２と第２の形成堰壁部２５４の間に延伸して連結する。
【００４６】
いくつかの実施形態において、第２の端部堰アセンブリ２５０は、第１の形成面２１２の第１の端部２２４に対向する第２の端部２２８に沿って、ドロー方向に延伸する第３の形成堰壁部２５８、および／または、第２の形成面２１４の第１の端部２２６に対向する第２の端部２３０に沿って、ドロー方向に延伸する第４の形成堰壁部２６０を含む。更に、または、その代わりに、第２の端部堰アセンブリ２５０は、形成体２１０の上面に配置されて、厚さ方向に延伸する、第２のブリッジ堰壁部２６２を含む。第２のブリッジ堰壁部２６２は、第３の形成堰壁部２５８と第４の形成堰壁部２６０の間に延伸して連結する。
【００４７】
いくつかの実施形態において、図１３に示したように、第１の形成堰壁部２５２、および、第１の形成堰壁部１５２は、第１の形成面２１２、および、第１の形成面１１２の第１の端部に沿って延伸する略連続した形成堰壁部の一部である。更に、または、その代わりに、第２の形成堰壁部２５４、および、第２の形成堰壁部１５４は、第２の形成面２１４、および、第２の形成面１１４の第１の端部に沿って延伸する略連続した形成堰壁部の一部である。更に、または、その代わりに、第３の形成堰壁部２５８、および、第３の形成堰壁部１５８は、第１の形成面２１２、および、第１の形成面１１２の第２の端部に沿って延伸する略連続した形成堰壁部の一部である。更に、または、その代わりに、第４の形成堰壁部２６０、および、第４の形成堰壁部１６０は、第２の形成面２１４、および、第２の形成面１１４の第２の端部に沿って延伸する略連続した形成堰壁部の一部である。
【００４８】
いくつかの実施形態において、図１３、１４に示したように、第２の形成体２１０は、第１のブリッジ堰壁部１５６、および／または、第２のブリッジ堰壁部１６２上に配置される。例えば、第２の形成体２１０を、第１のブリッジ堰壁部１５６、および／または、第２のブリッジ堰壁部１６２上に載置して、第２の形成体と形成体１１０を互いに連結しうる。したがって、第１のブリッジ堰壁部１５６、および／または、第２のブリッジ堰壁部１６２を、上側形成体と下側形成体の間の間隙に配置しうるか、および／または、上側形成体と下側形成体の間のスペーサーとして機能させうる。
【００４９】
いくつかの実施形態において、第１のブリッジ堰壁部１５６、および／または、第２のブリッジ堰壁部１６２は、図１３、１４に示したようなＨ形状の断面を有する。したがって、下側形成体と上側形成体の間の間隙内に配置された下側ブリッジ堰壁部は、Ｈ形状の断面を有する。形成体１１０を、Ｈ形状の断面を有する下側開口部内に配置、または、受け入れうる。更に、または、その代わりに、第２の形成体２１０を、Ｈ形状の断面を有する上側開口部内に配置、または、受け入れうる。したがって、Ｈ形状の断面を有する２つの端部材の間に配置された交差部材を、下側形成体と上側形成体の間に配置する一方、その２つの端部材を、下側形成体の両側を向いた面、および、上側形成体の両側を向いた面に沿って、配置しうる。そのようなＨ形状の断面を有する下側ブリッジ堰壁部は、上側形成体と下側形成体の間での（例えば、Ｙ方向の）移動を防いで、装置の安定性を維持するのを助ける。
【００５０】
形成体１１０、端部堰アセンブリ１５０、第２の形成体２１０、および／または、第２の端部堰アセンブリ２５０は、同じ、または、異なる耐火性材料を含むか、または、それから形成される。例えば、第１のブリッジ堰壁部１５６、および／または、第２のブリッジ堰壁部１６２は、耐火性材料を含むか、または、それから形成される。いくつかの実施形態において、端部堰アセンブリ１５０、または、第２の端部堰アセンブリ２５０の１つが、耐火性材料を含むか、または、それから形成され、端部堰アセンブリ、または、第２の端部堰アセンブリの他方が、非耐火性材料を含む。形成堰壁部は、ブリッジ堰壁部と同じ、または、異なる材料から形成しうる。例えば、上端部堰アセンブリの形成堰壁部は、耐火性材料を含むか、または、それから形成され、更に、下端部堰アセンブリの形成堰壁部は、非耐火性材料を含むか、または、それから形成され、そのブリッジ堰壁部は、必ずしも、そうでない。更に、例えば、上端部堰アセンブリの形成堰壁部は、非耐火性材料を含むか、それから形成され、下端部堰アセンブリの形成堰壁部は、耐火性材料を含むか、それから形成される。本明細書で記載したように、耐火性材料を含む形成体、および、少なくとも１つの端部堰アセンブリを有する装置は、非耐火性材料から形成された端部堰アセンブリを有する装置と比べて、加熱、および／または、動作中に、小さい変形を示す。装置２００の変形の縮小程度は、装置１００の変形の縮小より、著しい。例えば、上側形成体と下側形成体を互いに連結するので、形成堰壁部は、その上端部および下端部で制約されうる。そのように制約されることで、装置の加熱または動作中に、形成堰壁部の上端部、および／または、下端部が、形成体に対して移動するのを防ぎうる。したがって、形成体と形成堰壁部の間で膨張に差異があると、形成堰壁部の歪みを生じうる。
【００５１】
本明細書において、端部堰アセンブリ１５０について記載したように、様々な実施形態において、第２の端部堰アセンブリ２５０、または、その一部は、形成体２１０から分離されて、または、一体化していてもよい。更に、または、その代わりに、本明細書において、（例えば、接合部を有する）端部堰アセンブリ１５０について記載したように、第２の端部堰アセンブリ２５０、または、その一部を、形成体２１０に連結しうる。更に、または、その代わりに、本明細書において、端部堰アセンブリ１５０について記載したように、第２の端部堰アセンブリ２５０は、１つ以上の堰壁部区分を含みうる。更に、または、その代わりに、第１の端部堰アセンブリ１５０、または、その一部は、形成体２１０から分離されるか、または、一体化されうる。例えば、第１のブリッジ堰壁部１５６、および／または、第２のブリッジ堰壁部１６２は、形成体２１０から分離されるか、または、一体化されうる。更に、または、その代わりに、形成体１１０は、第２の形成体２１０から分離されるか、または、一体化されうる。いくつかの実施形態において、装置は、一体構造の、または、モノリシックな本体を含み、その中で、上側および下側形成体、並びに、第１および第２の端部堰アセンブリが、互いに一体化されている。
【００５２】
いくつかの実施形態において、ガラスリボン形成装置は、両側を向いた第１および第２の形成面を有する形成体と、第１の形成面の第１の端部に沿って、ドロー方向に延伸する形成堰壁部を含む、端部堰アセンブリとを備え、形成体、および、端部堰アセンブリが、各々、耐火性材料を含む。更に、または、その代わりに、端部堰アセンブリが、第２の形成面の第１の端部に沿って、ドロー方向に延伸する第２の形成堰壁部を、更に含む。更に、または、その代わりに、装置は、形成体の上面に配置されて、第１の形成堰壁部と第２の形成堰壁部の間に延伸して連結する、ブリッジ堰壁部を、更に含む。更に、または、その代わりに、ブリッジ堰壁部は、第１の形成堰壁部、または、第２の形成堰壁部の少なくとも１つから分離されて、それに接触する。更に、または、その代わりに、ブリッジ堰壁部は、第１の形成堰壁部、または、第２の形成堰壁部の少なくとも１つと一体化したものである。更に、または、その代わりに、形成体の第１および第２の形成面は、ドローラインで収束し、第１の形成堰壁部と第２の形成堰壁部は、ドローラインに隣接して収束する。更に、または、その代わりに、形成堰壁部が、形成体のチャネル内に配置されたものである。更に、または、その代わりに、形成堰壁部が、接合部で、形成体のチャネルに連結されたものである。更に、または、その代わりに、接合部は、あし継ぎジョイント、Ｌ型スロットジョイント、Ｔ型スロットジョイント、または、それらの組合せからなる群から選択される。更に、または、その代わりに、端部堰アセンブリの少なくとも一部が、形成体から分離されて、それに接触するものである。更に、または、その代わりに、端部堰アセンブリの少なくとも一部が、形成体と一体化したものである。更に、または、その代わりに、形成体および端部堰アセンブリの各々が、同じ耐火性材料を含む。更に、または、その代わりに、耐火性材料は、ジルコニア、アルミナ、炭化ケイ素、および、それらの組合せからなる群から選択される。更に、または、その代わりに、形成体が、第１と第２の形成面が互いに略平行である上部、および、第１と第２の形成面が互いに傾いて、形成体のウェッジ形状を画定する下部を含むものである。更に、または、その代わりに、端部堰アセンブリは、第１の形成面の第１の端部と対向する第１の形成面の第２の端部に沿って、ドロー方向に延伸する第３の形成堰壁部と、第２の形成面の第１の端部と対向する第２の形成面の第２の端部に沿って、ドロー方向に延伸する第４の形成堰壁部とを、更に含むものである。更に、または、その代わりに、装置は、形成体の上面に配置されて、第３の形成堰壁部と第４の形成堰壁部の間に延伸して連結する、第２のブリッジ堰壁部を、更に含むものである。更に、または、その代わりに、装置は、形成体の上方に配置されて、両側を向いた第１および第２の形成面を有する上側形成体と、上側形成体の第１の形成面の第１の端部に沿って、ドロー方向に延伸する形成堰壁部を含む上端部堰アセンブリとを、更に備え、上側形成体と上端部堰アセンブリは、各々、耐火性材料を含むものである。更に、または、その代わりに、上端部堰アセンブリは、上側形成体の第２の形成面の第１の端部に沿って、ドロー方向に延伸する第２の形成堰壁部を更に含む。更に、または、その代わりに、装置は、上側形成体の上面に配置されて、上端部堰アセンブリの形成堰壁部と上端部堰アセンブリの第２の形成堰壁部の間に延伸し連結する、ブリッジ堰壁部を更に含む。更に、または、その代わりに、下側ブリッジ堰壁部が、形成体と上側形成体の間の間隙内に配置されたものである。更に、または、その代わりに、下側ブリッジ堰壁部は、Ｈ形状の断面を有し、形成体を、Ｈ形状の断面の下側開口部内に受け入れて、上側形成体を、Ｈ形状の断面の上側開口部内に受け入れるものである。更に、または、その代わりに、上端部堰アセンブリは、端部堰アセンブリと連通して、上側形成体の第１の形成面、および、形成体の第１の形成面の各々の第１の端部に沿って、ドロー方向に延伸する連続した形成堰壁部を、協働で画定するものである。
【００５３】
いくつかの実施形態において、ガラスリボン形成装置は、両側を向いた第１および第２の形成面を有する下側形成体と、下側形成体の上方に配置されて、両側を向いた第１および第２の形成面を有する上側形成体と、下側形成体と上側形成体の間の間隙に配置された下側ブリッジ堰壁部とを備え、下側形成体、上側形成体、および、下側ブリッジ堰壁部は、各々、耐火性材料を含む。更に、または、その代わりに、装置は、下側形成体の第１の形成面の第１の端部に沿って、ドロー方向に延伸する形成堰壁部を含む下端部堰アセンブリと、上側形成体の第１の形成面の第１の端部に沿って、ドロー方向に延伸する形成堰壁部を含む上端部堰アセンブリとを備え、下端部堰アセンブリ、または、上端部堰アセンブリの少なくとも１つが、耐火性材料を含むものである。更に、または、その代わりに、下端部堰アセンブリ、または、上端部堰アセンブリの１つが、耐火性材料を含み、下端部堰アセンブリ、または、上端部堰アセンブリの他方が、非耐火性材料を含むものである。更に、または、その代わりに、非耐火性材料は、金属性材料を含むものである。更に、または、その代わりに、金属性材料は、白金、ロジウム、チタン、それらの合金、および、それらの組合せからなる群から選択したものである。更に、または、その代わりに、下端部堰アセンブリ、および、上端部堰アセンブリは、各々、耐火性材料を含むものである。更に、または、その代わりに、下側ブリッジ堰壁部は、Ｈ形状の断面を有し、下側形成体は、Ｈ形状の断面の下側開口部内に配置され、上側形成体は、Ｈ形状の断面の上側開口部内に配置されるものである。更に、または、その代わりに、下側形成体、上側形成体、および、下側ブリッジ堰壁部の各々は、同じ耐火性材料を含むものである。更に、または、その代わりに、耐火性材料は、ジルコニア、アルミナ、炭化ケイ素、および、それらの組合せからなる群から選択される。
【００５４】
いくつかの実施形態において、ガラスリボン形成装置は、両側を向いた第１および第２の形成面を有する形成体、および、第１の形成面の第１の端部に沿って、ドロー方向に延伸する第１の形成堰壁部と、第２の形成面の第１の端部に沿って、ドロー方向に延伸する第２の形成堰壁部と、形成体の上面に配置されて、第１の形成堰壁部と第２の形成堰壁部の間に延伸して連結する第１のブリッジ堰壁部と、第１の形成面の第２の端部に沿って、ドロー方向に延伸する第３の形成堰壁部と、第２の形成面の第２の端部に沿って、ドロー方向に延伸する第４の形成堰壁部と、形成体の上面に配置されて、第３の形成堰壁部と第４の形成堰壁部の間に延伸して連結する第２のブリッジ堰壁部とを含む、端部堰アセンブリを備え、形成体、および、端部堰アセンブリは、各々、耐火性材料を含む。更に、または、その代わりに、装置は、端部堰アセンブリの第１のブリッジ堰壁部、および、第２のブリッジ堰壁部に連結されて、第１および第２の形成面を有する上側形成体を、更に含み、上端部堰アセンブリは、上側形成体の第１の形成面の第１の端部に沿って、ドロー方向に延伸する第１の形成堰壁部と、上側形成体の第２の形成面の第１の端部に沿って、ドロー方向に延伸する第２の形成堰壁部と、上側形成体の第１の形成面の第１の端部に対向する第２の端部に沿って、ドロー方向に延伸する第３の形成堰壁部と、上側形成体の第２の形成面の第１の端部に対向する第２の端部に沿って、ドロー方向に延伸する第４の形成堰壁部とを、更に含み、上側形成体、および、上端部堰アセンブリは、各々、耐火性材料を含む。
【００５５】
いくつかの実施形態において、ガラスリボン形成方法は、溶融ガラスを、ウェッジ状の形成体の形成面に沿って、ドロー方向に流し、溶融ガラスが、形成面の対向する第１および第２の端部に沿ってドロー方向に延伸した形成堰壁部によって画定された溝部内を流れる工程を含み、形成体、および、形成堰壁部は、各々、耐火性材料を含む。
【００５６】
当業者には、請求した主題の精神または範囲を逸脱することなく、様々な変更および変形が可能なことが明らかだろう。したがって、請求した主題は、添付の請求項、および、その等価物以外によっては、限定されるべきはない。
【００５７】
以下、本発明の好ましい実施形態を項分け記載する。
【００５８】
実施形態１  
ガラスリボン形成装置において、
両側を向いた第１および第２の形成面を有する形成体と、
第１の形成面の第１の端部に沿って、ドロー方向に延伸する形成堰壁部を含む、端部堰アセンブリと、
を備え、
前記形成体、および、前記端部堰アセンブリが、各々、耐火性材料を含むものである装置。
【００５９】
実施形態２  
前記端部堰アセンブリが、前記第２の形成面の第１の端部に沿って、前記ドロー方向に延伸する第２の形成堰壁部を、更に含むものである、実施形態１に記載の装置。
【００６０】
実施形態３  
前記形成体の上面に配置されて、前記第１の形成堰壁部と前記第２の形成堰壁部の間に延伸して連結する、ブリッジ堰壁部を、
更に含む、実施形態２に記載の装置。
【００６１】
実施形態４  
前記ブリッジ堰壁部は、前記第１の形成堰壁部、または、前記第２の形成堰壁部の少なくとも１つから分離されて、それに接触するものである、実施形態３に記載の装置。
【００６２】
実施形態５  
前記ブリッジ堰壁部は、前記第１の形成堰壁部、または、前記第２の形成堰壁部の少なくとも１つと一体化したものである、実施形態３または４に記載の装置。
【００６３】
実施形態６  
前記形成堰壁部が、前記形成体のチャネル内に配置されたものである、実施形態１から５のいずれか１つに記載の装置。
【００６４】
実施形態７  
前記形成堰壁部が、あし継ぎジョイント、Ｌ型スロットジョイント、Ｔ型スロットジョイント、または、それらの組合せからなる群から選択された接合部で、前記形成体の前記チャネルに連結されたものである、実施形態６に記載の装置。
【００６５】
実施形態８  
前記端部堰アセンブリの少なくとも一部が、前記形成体から分離されて、それに接触するものである、実施形態１から７のいずれか１つに記載の装置。
【００６６】
実施形態９  
前記端部堰アセンブリの少なくとも一部が、前記形成体と一体化したものである、実施形態１から８のいずれか１つに記載の装置。
【００６７】
実施形態１０  
前記形成体および前記端部堰アセンブリの各々の前記耐火性材料は、ジルコニア、アルミナ、炭化ケイ素、および、それらの組合せからなる群から、独立に選択したものである、実施形態１から９のいずれか１つに記載の装置。
【００６８】
実施形態１１  
前記形成体が、前記第１と第２の形成面が互いに略平行である上部、および、該第１と第２の形成面が互いに傾いて、該形成体のウェッジ形状を画定する下部を含むものである、実施形態１から１０のいずれか１つに記載の装置。
【００６９】
実施形態１２  
前記端部堰アセンブリは、
前記第１の形成面の前記第１の端部と対向する該第１の形成面の第２の端部に沿って、前記ドロー方向に延伸する第３の形成堰壁部と、
前記第２の形成面の前記第１の端部と対向する該第２の形成面の第２の端部に沿って、前記ドロー方向に延伸する第４の形成堰壁部と、
前記形成体の上面に配置されて、前記第３の形成堰壁部と前記第４の形成堰壁部の間に延伸して連結する、第２のブリッジ堰壁部と
を更に含むものである、実施形態１から１１のいずれか１つに記載の装置。
【００７０】
実施形態１３  
前記形成体の上方に配置されて、両側を向いた第１および第２の形成面を有する上側形成体と、
前記上側形成体の前記第１の形成面の第１の端部に沿って、前記ドロー方向に延伸する形成堰壁部を含む上端部堰アセンブリと、
を更に備え、
前記上側形成体と前記上端部堰アセンブリは、各々、耐火性材料を含むものである、実施形態１から１２のいずれか１つに記載の装置。
【００７１】
実施形態１４  
前記上端部堰アセンブリは、
前記上側形成体の前記第２の形成面の第１の端部に沿って、前記ドロー方向に延伸する第２の形成堰壁部と、
前記上側形成体の上面に配置されて、前記上端部堰アセンブリの前記形成堰壁部と該上端部堰アセンブリの前記第２の形成堰壁部の間に延伸し連結する、ブリッジ堰壁部と、
を更に含むものである、実施形態１３に記載の装置。
【００７２】
実施形態１５  
下側ブリッジ堰壁部が、前記形成体と前記上側形成体の間の間隙に配置されたものである、実施形態１３または１４に記載の装置。
【００７３】
実施形態１６  
前記下側ブリッジ堰壁部は、Ｈ形状の断面を有し、
前記形成体を、前記Ｈ形状の断面の下側開口部内に受け入れ、
前記上側形成体を、前記Ｈ形状の断面の上側開口部内に受け入れるものである、実施形態１５に記載の装置。
【００７４】
実施形態１７  
前記上端部堰アセンブリは、前記端部堰アセンブリと連通して、前記上側形成体の前記第１の形成面、および、前記形成体の前記第１の形成面の各々の第１の端部に沿って、前記ドロー方向に延伸する連続した形成堰壁部を、協働で画定するものである、実施形態１３から１６のいずれか１つに記載の装置。
【００７５】
実施形態１８  
ガラスリボン形成装置において、
両側を向いた第１および第２の形成面を有する下側形成体と、
前記下側形成体の上方に配置されて、両側を向いた第１および第２の形成面を有する上側形成体と、
前記下側形成体と前記上側形成体の間の間隙に配置された下側ブリッジ堰壁部と、
を備え、
前記下側形成体、前記上側形成体、および、前記下側ブリッジ堰壁部は、各々、耐火性材料を含むものである装置。
【００７６】
実施形態１９  
前記下側形成体の前記第１の形成面の第１の端部に沿って、ドロー方向に延伸する形成堰壁部を含む下端部堰アセンブリと、
前記上側形成体の前記第１の形成面の第１の端部に沿って、前記ドロー方向に延伸する形成堰壁部を含む上端部堰アセンブリと、
を備え、
前記下端部堰アセンブリ、または、前記上端部堰アセンブリの少なくとも１つが、耐火性材料を含むものである、実施形態１８に記載の装置。
【００７７】
実施形態２０  
前記下端部堰アセンブリ、または、前記上端部堰アセンブリの１つが、前記耐火性材料を含み、該下端部堰アセンブリ、または、該上端部堰アセンブリの他方が、非耐火性材料を含むものである、実施形態１９に記載の装置。
【００７８】
実施形態２１  
前記非耐火性材料は、白金、ロジウム、チタン、それらの合金、および、それらの組合せからなる群から選択した金属性材料を含むものである、実施形態２０に記載の装置。
【００７９】
実施形態２２  
前記下端部堰アセンブリ、および、前記上端部堰アセンブリは、各々、前記耐火性材料を含むものである、実施形態１９に記載の装置。
【００８０】
実施形態２３  
前記下側ブリッジ堰壁部は、Ｈ形状の断面を有し、
前記下側形成体は、前記Ｈ形状の断面の下側開口部内に配置され、
前記上側形成体は、前記Ｈ形状の断面の上側開口部内に配置されるものである、実施形態１８から２２のいずれか１つに記載の装置。
【００８１】
実施形態２４  
ガラスリボン形成方法において、
溶融ガラスを、ウェッジ状の形成体の形成面に沿って、ドロー方向に流し、前記溶融ガラスが、前記形成面の対向する第１および第２の端部に沿って前記ドロー方向に延伸した形成堰壁部によって画定された溝部内を流れる工程を、
含み、
前記形成体、および、前記形成堰壁部は、各々、耐火性材料を含むものである方法。
【符号の説明】
【００８２】
１００、２００  装置
１１０、２１０  形成体
１１２、２１２  第１の形成面
１１４、２１４  第２の形成面
１１６  ドローライン
１１８、２１８  トラフ部
１２０  第１の側壁部
１２２  第２の側壁部
１２４、１２６、２２４、２２６  第１の端部
１２８、１３０、２２８、２３０  第２の端部
１３２、１３４  チャネル
１５０  端部堰アセンブリ
１５２、２５２  第１の形成堰壁部
１５４、２５４  第２の形成堰壁部
１５６、２５６  第１のブリッジ堰壁部
１５８、２５８  第３の形成堰壁部
１６０、２６０  第４の形成堰壁部
１６２、２６２  第２のブリッジ堰壁部
１７０  第１の縁部延伸部
１７２  第２の縁部延伸部
１７４  第３の縁部延伸部
１７６  第４の縁部延伸部
２５０  第２の端部堰アセンブリ
【図１】
2018535916.tif 000003
【図２】
2018535916.tif 000004
【図３】
2018535916.tif 000005
【図４】
2018535916.tif 000006
【図５】
2018535916.tif 000007
【図６】
2018535916.tif 000008
【図７】
2018535916.tif 000009
【図８】
2018535916.tif 000010
【図９】
2018535916.tif 000011
【図１０】
2018535916.tif 000012
【図１１】
2018535916.tif 000013
【図１２】
2018535916.tif 000014
【図１３】
2018535916.tif 000015
【図１４】
2018535916.tif 000016
【国際調査報告】
2018535916.tif 000017
2018535916.tif 000018
2018535916.tif 000019
2018535916.tif 000020
2018535916.tif 000021